(57)【要約】【課題】この発明は、伸縮継手やドレッサー形ジョイントを使用しなくとも、既設配管の切断位置における突き合わさった管の端部同志を接続することができるソケット継手を提供する。【解決手段】一方にテーパー受口、他方にゴム輪接合伸縮受口を有するソケット継手であって、ゴム輪接合伸縮受口のゴム輪から奥部までの長さが、テーパー受口の長さよりも長くなされていることを特徴とする。【選択図】  図１
2004270883.tif 000002
【特許請求の範囲】
【請求項１】
一方にテーパー受口、他方にゴム輪接合伸縮受口を有するソケット継手であって、ゴム輪接合伸縮受口のゴム輪から奥部までの長さが、テーパー受口の長さよりも長くなされていることを特徴とするソケット継手。
【請求項２】
ゴム輪接合伸縮受口のゴム輪から奥部までの長さが、テーパー受口の長さに、その接合部に影響する配管の熱収縮代の最大寸法を加えた長さとなされている請求項１記載のソケット継手。
【請求項３】
ゴム輪接合伸縮受口の形状が、端部から奥部に向けて所定の角度で拡径された受口とされ、伸縮代が±７５ｍｍとなされている請求項１記載のソケット継手。
【発明の詳細な説明】
【０００１】
【発明の属する技術分野】
この発明は、一方にテーパー受口、他方にゴム輪接合伸縮受口を有するソケット継手に関し、特に、既に配管された管路の途中を補修したり、変更したりする場合に使用して好適なものである。
【０００２】
【従来の技術】
従来、既に配管された管路で、破損による漏水等が生じて補修したり、配管の経路を一部変更したりすることが必要となる場合がある。この場合、破損箇所や変更箇所で配管を切断、切除して、新管で補修配管または管路変更配管を行い、最後に突き合わさった管の端部同志を伸縮継手やドレッサー形ジョイント等の補修継手を使用して接続することが行われている。
【０００３】
伸縮継手は、図３に示すように、管ａ１、ａ２を挿入可能な継手本体ｂ１の両端部外面に雄ねじｃ１、ｃ２が設けられ、この雄ねじｃ１、ｃ２に袋ナットｄ１、ｄ２が螺合され、継手本体ｂ１の両端部と袋ナットｄ１、ｄ２との間にパッキングｅ１、ｅ２が設けられている。
この伸縮継手を使用して突き合わさった管ａ１、ａ２を接続するには、両管の軸芯をずらして、一方の管ａ１に一方の袋ナットｄ１とパッキングｅ１および継手本体ｂ１を被せるように挿入し、他方の管ａ２に袋ナットｄ２とパッキングｅ２を被せるように挿入する。
次いで、管ａ１、ａ２を同軸位置に戻して継手本体ｂ１の中間位置が管ａ１、ａ２の突き合わせ位置となるように継手本体ｂ１を管ａ２側に摺動させ、パッキングｅ１、ｅ２を継手本体ｂ１と袋ナットｄ１、ｄ２との間に挟んで締めつければよい。
この場合、管路に、管ａ１、ａ２の端面間の間隔分だけの伸長または管ａ１、ａ２の端面とパッキングｅ１、ｅ２との寸法分だけの収縮があっても、伸縮可能な接続を行うことができる。
【０００４】
また、ドレッサー形ジョイントは、図４に示すように、管ａ３、ａ４を挿入可能な継手本体ｂ２の両端部にフランジｃ３、ｃ４が設けられ、このフランジｃ３、ｃ４間が、フランジの周方向の３箇所以上の位置で、ボルトｄ３とナットｄ４で締結され、継手本体ｂ２の両端部とフランジｃ３、ｃ４との間にパッキングｅ３、ｅ４が設けられている。
このドレッサー形ジョイントを使用して突き合わさった管ａ３、ａ４を接続するには、両管の軸芯をずらして、一方の管ａ３に一方のフランジｃ３とパッキングｅ３および継手本体ｂ２を被せるように挿入し、他方の管ａ４にフランジｃ４とパッキングｅ４を被せるように挿入する。
次いで、管ａ３、ａ４を同軸位置に戻して継手本体ｂ２の中間位置が管ａ３、ａ４の突き合わせ位置となるように継手本体ｂ２を管ａ４側に摺動させ、パッキングｅ３、ｅ４を継手本体ｂ２とフランジｃ３、ｃ４との間に挟んで、両フランジｃ３、ｃ４をボルトｄ３とナットｄ４で締結すればよい。
この場合、管路に、管ａ３、ａ４の端面間の間隔分だけの伸長と管ａ３、ａ４の端面とパッキングｅ３、ｅ４との寸法分だけの収縮があっても、伸縮可能な接続を行うことができる。
【０００５】
【発明が解決しようとする課題】
しかし、図３に示す伸縮継手と図４に示すドレッサー形ジョイントは、いずれもねじ込みまたはボルトとナットの締付けにより、パッキングを管の外周面に押しつけることにより止水されている。このように管の軸方向の締付け力でパッキングを管の外表面に押しつけて止水する接続構造では、摺動可能でかつ漏水しない締付け力に調整することが難しいため、パッキングを必要以上に強く締めつけて接続することになる。締付け力が強いと、パッキングが強く圧縮されるため、パッキングが劣化して短期間で漏れを生ずるという欠点がある。
【０００６】
【課題を解決するための手段】
この発明は、伸縮継手やドレッサー形ジョイントを使用しなくとも、既設配管の切断位置における突き合わさった管の端部同志を接続することができ、しかも、通常の配管の接続に使用されている、テーパー受口とゴム輪接合伸縮受口とを応用して、特殊な構造のソケット継手とすることにより、従来の配管におけると同様にして容易に接続ができるソケット継手を提供するものである。
【０００７】
請求項１記載のソケット継手は、一方にテーパー受口、他方にゴム輪接合伸縮受口を有するソケット継手であって、ゴム輪接合伸縮受口のゴム輪から奥部までの長さが、テーパー受口の長さよりも長くなされていることを特徴とする。
このようなソケット継手の構造とすることにより、突き合わさった管の端部同志を接続可能で、しかも、テーパー受口接続およびゴム輪接合伸縮受口接続と同様の接続方法で接続が可能であり、パッキングの劣化がなく、長期にわたって漏水の心配のない接続が可能である。
【０００８】
また、請求項２記載のソケット継手は、ゴム輪接合伸縮受口のゴム輪から奥部までの長さが、テーパー受口の長さに、その接合部に影響する配管の熱収縮代の最大寸法を加えた長さとなされている。
ゴム輪接合伸縮受口のゴム輪から奥部までの長さが、このような長さとなされていると、熱伸縮があってもゴム輪接合部で抜けることはない。
また、請求項３記載のソケット継手は、ゴム輪接合伸縮受口の形状が、端部から奥部に向けて所定の角度で拡径された受口とされ、伸縮代が±７５ｍｍとなされている。ゴム輪接合伸縮受口がこのような形状、寸法となされていると、大地震で地殻変動が激しくても、ゴム輪接合伸縮受口部での伸縮と屈曲で対応でき、破損することが少なくなる。
【０００９】
この発明において、テーパー受口とは、硬質塩化ビニル樹脂製等の樹脂管を、受口を有する継手と接着接合する際の受口であって、所定の嵌合状態で接着接合するために、受口の内周面に、端部が大径、奥部が小径となるテーパーが設けられており、管径が規格で定められた誤差の範囲であれば、嵌合して接着接合できるようになされている。
このテーパー受口の寸法は、日本工業規格、日本水道協会規格、日本下水道協会規格、塩化ビニル管・継手協会規格等で定められている。
【００１０】
また、ゴム輪接合伸縮受口とは、通常、上水道配管や散水用配管等のような圧送配管の接続に用いられる継手の受口であって、図１に示すように、接合する管の外径より大きな内径を有する受口と、この受口端部内周面にゴム輪が装着されたゴム輪受容部が形成されている。このゴム輪接合伸縮受口の形状についても日本水道協会規格、日本下水道協会規格、塩化ビニル管・継手協会規格等で定められている。
この受口に管が挿入され、管の外周面と受口内周面との隙間がゴム輪によって封止される。管に熱伸縮または地震等による地殻変位等の外力が作用すると、ゴム輪の部分で管が屈曲、摺動して伸縮する。
【００１１】
そして、この発明におけるソケット継手は、一方に上記テーパー受口、他方に上記ゴム輪接合伸縮受口を有するソケット継手であって、ゴム輪接合伸縮受口のゴム輪から奥部までの長さが、テーパー受口の長さよりも長くなされている。
テーパー受口の長さとは、テーパー受口の開口端部から同一テーパーの受口奥部までの長さであって、図１におけるＬ１をいい、ゴム輪接合伸縮受口のゴム輪から奥部までの長さとは、ゴム輪接合伸縮受口端部内周面に装着されたゴム輪の受口奥部側の位置から受口奥部までの長さであって、図１におけるＬ２をいう。
【００１２】
また、この発明では、上記ゴム輪接合伸縮受口のゴム輪から奥部までの長さが、上記テーパー受口の長さよりも長くなされていることが必要である。
この理由は、この発明のソケット継手を使用して突き合わさった管の端部同志を接続する際、管同志の軸芯を少しずらして、一方の管にソケット継手のゴム輪接合伸縮受口を奥部まで挿入し、ついで管同志の軸芯を一致させ、ソケット継手を摺動させてテーパー受口を他方の管に挿入嵌合して接着接合するが、ソケット継手のテーパー受口を他方の管の最奥部まで挿入して接合したときでも、一方の管とゴム輪接合伸縮受口とのゴム輪による封止が維持された嵌合状態を保持するためである。
【００１３】
尚、この発明においては、ゴム輪接合伸縮受口のゴム輪から奥部までの長さが、テーパー受口の長さよりも長くなされていればよいが、好ましくは、テーパー受口の長さに、その接合部に影響する配管の熱収縮代の最大寸法を加えた長さとなされているのがよい。
また、地震による地殻変位に対しても封止を維持するには、ゴム輪接合伸縮受口の形状を、端部から奥部に向けて所定の角度、例えば４度位の角度で拡径された受口とし、伸縮代を±７５ｍｍ程度有するような形状、寸法とするとよい。
【００１４】
【発明の実施の形態】
この発明の実施の形態を実施例に基づき図面を参照して説明する。
図１〜２は本発明のソケット継手の実施例を示し、図１は縦断面図、図２は図１に示すソケット継手を使用して、突き合わさった管の端部同志を接続する方法の一例を示す断面図で、（イ）はソケット継手を管に嵌合する状態を説明する縦断面図、（ロ）は管同志を接続した状態を示す縦断面図である。
【００１５】
図で、１は硬質塩化ビニル樹脂製のソケット継手であり、一方（左側）がテーパー受口２、他方（右側）がゴム輪接合伸縮受口３となされている。ゴム輪接合伸縮受口３の端部にはゴム輪受容部３１が形成され、ゴム輪３２が装着されている。
また、ゴム輪接合伸縮受口３のゴム輪３２の内端縁３３から受口奥部３４までの長さＬ２は、テーパー受口２の開口端から受口奥部２１までの長さＬ１の１．５倍となされている。
【００１６】
次に、このソケット継手１を使用して、突き合わさった管の端部同志を接続する方法について、図２を参照して説明する。
屋内の水道管配管で、漏水が発生した場合、まず、管路の損傷部を切断し、切断された配管の両方の端部に新管４、５を接続して、その管端部が突き合わさった状態に修復する。
次いで、突き合わさった管端部同志をソケット継手１で接続するが、まず、突き合わさった管同志の管端面の間隔を所定の間隔に切断する。所定の間隔とは、管４、５の軸芯をずらして、図２（イ）に示すように、一方の管４にソケット継手１のゴム輪接合伸縮受口３を受口奥部３４まで被せるように挿入した場合、テーパー受口２の端部が他方の管５と接触しないで、管４、５を同軸に戻すことができる間隔で、可能な限り短い方が好ましい。
次に、ソケット継手１のテーパー受口２の内面および管５の端部外面に接着剤を塗布し、ソケット継手１のゴム輪接合伸縮受口３を、管５の軸芯と軸芯をずらした管４に被せるように受口奥部３４まで挿入する。次に、管４の軸芯を管５の軸芯と一致させた状態に戻して、ソケット継手１のテーパー受口２を管５に被せるように挿入嵌合し、接着剤による初期接着力で固定されるまで数十秒間嵌合状態を維持し、接続を完了する。
【００１７】
【発明の効果】
この発明の請求項１記載のソケット継手は、一方にテーパー受口、他方にゴム輪接合伸縮受口を有するソケット継手であって、ゴム輪接合伸縮受口のゴム輪から奥部までの長さが、テーパー受口の長さよりも長くなされているので、突き合わさった管の端部同志を接続可能で、しかも、テーパー受口接続およびゴム輪接合伸縮受口接続と同様の接続方法で接続が可能であり、パッキングの劣化がなく、長期にわたって漏水の心配のない接続が可能である。
【００１８】
また、請求項２記載のソケット継手は、ゴム輪接合伸縮受口のゴム輪から奥部までの長さが、テーパー受口の長さに、その接合部に影響する配管の熱収縮代の最大寸法を加えた長さとなされているので、熱伸縮があってもゴム輪接合部で抜けることはない。
【００１９】
また、請求項３記載のソケット継手は、ゴム輪接合伸縮受口の形状が、端部から奥部に向けて所定の角度で拡径された受口とされ、伸縮代が±７５ｍｍとなされているので、大地震で地殻変動が激しく、地中に埋設されている配管であっても、ゴム輪接合伸縮受口部での伸縮と屈曲で対応でき、破損することが少なくなる。
【図面の簡単な説明】
【図１】この発明のソケット継手の一実施例を示す縦断面図である。
【図２】図１に示すソケット継手を使用して、突き合わさった管の端部同志を接続する方法の一例を示す断面図で、（イ）はソケット継手を管に嵌合する状態を説明する縦断面図、（ロ）は管の端部同志を接続した状態を示す縦断面図である。
【図３】伸縮継手の一例を示す断面図である。
【図４】ドレッサー形ジョイントの一例を示す断面図である。
【符号の説明】
１        ソケット継手
２        テーパー受口
３        ゴム輪接合伸縮受口
３１      ゴム輪受容部
３２      ゴム輪
４、５    管
Ｌ１      テーパー受口長さ
Ｌ２      ゴム輪接合伸縮受口長さ
【図１】
2004270883.tif 000003
【図２】
2004270883.tif 000004
【図３】
2004270883.tif 000005
【図４】
2004270883.tif 000006